(57)【特許請求の範囲】
【請求項１】
ユーザのファイルを記憶するサーバからネットワークを介して前記ユーザのファイルを受信するモバイル機器であって、
自機器の記憶手段に記憶されているファイルまたは前記サーバに記憶されているユーザのファイルのいずれかを識別可能な情報を指定することによってファイルを選択可能な画面を表示部に表示させるファイル情報表示手段と、
前記ファイルを選択可能な画面においてファイルの選択を受け付ける選択受付手段と、
前記選択されたファイルを他のモバイル機器へ送信するための指示を受け付ける送信指示受付手段と、
前記送信指示受付手段によって受け付けた指示に応じて、前記選択されたファイルが自機器の記憶手段に記憶されているファイルである場合には、該自機器の記憶手段から取得した前記選択されたファイルを前記他のモバイル機器へ送信し、前記選択されたファイルが自機器の記憶手段ではなく前記サーバに記憶されているユーザのファイルである場合には、前記サーバからネットワークを介して前記選択されたファイルを取得し、該取得したファイルを前記他のモバイル機器へ送信する送信手段と、
を有し、
前記選択受付手段によってファイルが選択された後に実行される前記他のモバイル機器への送信のためのユーザ操作は、前記選択されたファイルが記憶されている場所が前記自機器の記憶手段または前記サーバのいずれであるかに関わらず共通の操作であること
を特徴とするモバイル機器。
【請求項２】
請求項１に記載されたモバイル機器において、
前記ファイル情報表示手段によって表示される前記ファイルを選択可能な画面は、前記送信指示受付手段による指示を受け付けるための画面であることを特徴とするモバイル機器。
【請求項３】
請求項２に記載されたモバイル機器において、
前記モバイル機器は、前記選択されたファイルを前記表示部に表示させるための指示を受け付ける表示指示受付手段をさらに有し、前記ファイルを選択可能な画面は、前記送信指示受付手段による指示を受付可能であって、かつ、前記表示指示受付手段による指示を受付可能であることを特徴とするモバイル機器。
【請求項４】
請求項１〜３のいずれかに記載されたモバイル機器において、
前記送信指示受付手段は、前記ファイルを選択可能な画面に表示されるボタンの選択によって指示を受け付け、
前記ボタンの選択によって受け付けた指示に応じて、前記選択されたファイルを前記表示部に表示し、さらに前記他のモバイル機器へ前記選択されたファイルを送信することを特徴とするモバイル機器。
【請求項５】
請求項１〜４のいずれかに記載されたモバイル機器において、
さらに前記他のモバイル機器との通信の確立を実行する通信確立手段を備え、
前記送信手段は、前記通信確立手段により通信を確立した前記他のモバイル機器に対して、前記選択されたファイルを送信することを特徴とするモバイル機器。
【請求項６】
請求項５に記載されたモバイル機器において、
少なくとも前記送信手段を実現するためのアプリケーションプログラムをインストール済みであり、前記通信確立手段は、前記アプリケーションプログラムの起動に応じて、前記他のモバイル機器との通信の確立を実行することを特徴とするモバイル機器。
【請求項７】
請求項６に記載されたモバイル機器において、
前記通信確立手段は、前記他のモバイル機器へファイルを送信するために、前記モバイル機器にインストール済みのアプリケーションプログラムと同じアプリケーションプログラムがインストール済みのモバイル機器との通信を確立することを特徴とするモバイル機器。
【請求項８】
請求項１〜７のいずれかに記載されたモバイル機器において、
前記ファイルを識別可能な情報は、少なくともファイルの書誌情報と、ファイルに対応する画像のサムネイルのいずれかを含むことを特徴とするモバイル機器。
【請求項９】
ユーザのファイルを記憶するサーバからネットワークを介して前記ユーザのファイルを受信するモバイル機器であって、
自機器の記憶手段に記憶されているファイルまたは前記サーバに記憶されているユーザのファイルのいずれかを識別可能な情報を指定することによってファイルを選択可能な画面を表示部に表示させるファイル情報表示手段と、
前記ファイルを選択可能な画面においてファイルの選択を受け付ける選択受付手段と、
前記選択されたファイルを他のモバイル機器へ送信するための指示を受け付ける送信指示受付手段と、
前記送信指示受付手段によって受け付けた指示に応じて、前記選択されたファイルが自機器の記憶手段に記憶されているファイルである場合には、該自機器の記憶手段から取得した前記選択されたファイルを前記他のモバイル機器へ送信し、前記選択されたファイルが自機器の記憶手段ではなく前記サーバに記憶されているユーザのファイルである場合には、前記サーバからネットワークを介して前記選択されたファイルを取得し、該取得したファイルを前記他のモバイル機器へ送信する送信手段と、
を有し、
前記選択受付手段によってファイルが選択された後に実行される前記他のモバイル機器への送信のためのユーザ操作は、前記選択されたファイルが記憶されている場所が前記自機器の記憶手段または前記サーバのいずれであるかに関わらず共通の操作である前記モバイル機器と、
前記他のモバイル機器と、
からなることを特徴とするファイル交換システム。
【請求項１０】
コンピュータを請求項１に記載されたモバイル機器の各手段として機能させるためのプログラム。
【請求項１１】
ユーザのファイルを記憶するサーバからネットワークを介して前記ユーザのファイルを受信するモバイル機器により実行されるファイル交換方法であって、
自機器の記憶手段に記憶されているファイルまたは前記サーバに記憶されているユーザのファイルのいずれかを識別可能な情報を指定することによってファイルを選択可能な画面を表示部に表示させるファイル情報表示ステップと、
前記ファイルを選択可能な画面においてファイルの選択を受け付ける選択受付ステップと、
前記選択されたファイルを他のモバイル機器へ送信するための指示を受け付ける送信指示受付ステップと、
前記送信指示受付ステップによって受け付けた指示に応じて、前記選択されたファイルが自機器の記憶手段に記憶されているファイルである場合には、該自機器の記憶手段から取得した前記選択されたファイルを前記他のモバイル機器へ送信し、前記選択されたファイルが自機器の記憶手段ではなく前記サーバに記憶されているユーザのファイルである場合には、前記サーバからネットワークを介して前記選択されたファイルを取得し、該取得したファイルを前記他のモバイル機器へ送信する送信ステップと、
を有し、
前記選択受付ステップによってファイルが選択された後に実行される前記他のモバイル機器への送信のためのユーザ操作は、前記選択されたファイルが記憶されている場所が前記自機器の記憶手段または前記サーバのいずれであるかに関わらず共通の操作であること
を特徴とするファイル交換方法。
【発明の詳細な説明】
【技術分野】
【０００１】
本発明は、ネットワーク上のサーバにより管理されているファイルをモバイル機器間で交換するファイル交換システム及びファイル交換方法、そのシステムに使用するモバイル機器及びプログラムに関する。
【背景技術】
【０００２】
ネットワークの普及により、ＰＣ（Personal Computer）やデジタルカメラ、携帯電話機等の情報機器で取得された電子化された文書や画像等（以下、電子化された文書や画像等を「ファイル」という）をネットワーク上のサーバにおいて管理するオンラインストレージサービスの利用が広がりつつある。このサービスでは、ユーザの情報機器の操作によりネットワークを介してサーバにアクセスし、サーバの内部又は外部の記憶装置上にユーザ毎に割り当てられたオンラインストレージエリアにファイルを保管することができる。
【０００３】
また、持ち運びが可能な情報機器（モバイル機器）間でファイルを交換するシステムも知られている。例えば特許文献１には、モバイル機器内に存在するファイルをBluetooth（登録商標）やＩｒＤＡ（Infrared Data Association）等の近距離無線通信により他のモバイル機器に送信すること、及びモバイル機器内に存在するファイルをネットワーク上のサーバ内の記憶装置にアップロードし、次いでそのファイルを他のモバイル機器がダウンロードすることで、モバイル機器から他のモバイル機器へファイルを送信することが開示されている。さらに、文献に記載されたものではないが、ネットワーク上のサーバで管理されているファイルをモバイル機器によりダウンロードし、近距離無線通信により他のモバイル機器に転送することが実現されている。
【０００４】
しかしながら、従来のシステムでは、交換対象ファイルがモバイル機器内にある場合は、ユーザは直接他のモバイル機器に送信する操作を行えばよいのに対し、交換対象ファイルがオンラインストレージ上にある場合は、一旦、モバイル機器にダウンロードする操作を実行し、その後、他のモバイル機器に送信（転送）する操作を実行しなければならないため、モバイル機器内にある場合とは異なる操作が必要であり、かつ操作数が多くなってしまうという問題がある。
【発明の概要】
【発明が解決しようとする課題】
【０００５】
本発明は、このような問題を解決するためになされたものであり、その目的は、ネットワーク上のサーバにより管理されているファイルをモバイル機器間で交換する際、交換対象ファイルの蓄積場所に関わらず、同じ操作で交換できるようにすることである。
【課題を解決するための手段】
【０００６】
本発明のモバイル機器は、ユーザのファイルを記憶するサーバからネットワークを介して前記ユーザのファイルを受信するモバイル機器であって、自機器の記憶手段に記憶されているファイルまたは前記サーバに記憶されているユーザのファイルのいずれかを識別可能な情報を指定することによってファイルを選択可能な画面を表示部に表示させるファイル情報表示手段と、前記ファイルを選択可能な画面においてファイルの選択を受け付ける選択受付手段と、前記選択されたファイルを他のモバイル機器へ送信するための指示を受け付ける送信指示受付手段と、前記送信指示受付手段によって受け付けた指示に応じて、前記選択されたファイルが自機器の記憶手段に記憶されているファイルである場合には、該自機器の記憶手段から取得した前記選択されたファイルを前記他のモバイル機器へ送信し、前記選択されたファイルが自機器の記憶手段ではなく前記サーバに記憶されているユーザのファイルである場合には、前記サーバからネットワークを介して前記選択されたファイルを取得し、該取得したファイルを前記他のモバイル機器へ送信する送信手段と、を有し、前記選択受付手段によってファイルが選択された後に実行される前記他のモバイル機器への送信のためのユーザ操作は、前記選択されたファイルが記憶されている場所が前記自機器の記憶手段または前記サーバのいずれであるかに関わらず共通の操作であることを特徴とするモバイル機器である。
また、本発明のファイル交換システムは、本発明のモバイル機器と、前記他のモバイル機器とからなることを特徴とするファイル交換システムである。
【０００７】
［作用］
本発明のモバイル機器は、ネットワーク上のサーバから、そのサーバが管理しているファイルを示すファイル情報を取得して表示し、表示中のファイル情報からユーザが指定したファイル情報により特定されるファイルが機器内部に記憶されているか否かを判定する。判定の結果、記憶されているときは、そのファイルを他のモバイル機器へ送信し、記憶されていないときは、サーバからダウンロードし、他のモバイル機器へ送信する。
【発明の効果】
【０００８】
本発明によれば、ネットワーク上のサーバにより管理されているファイルをモバイル機器間で交換する際、ユーザは交換対象ファイルの蓄積場所に関わらず、同じ操作で交換することができる。これにより、ユーザは交換対象ファイルの蓄積場所を知らなくても、ファイル交換を行うことができる。
【図面の簡単な説明】
【０００９】
【図１】本発明の実施形態のファイル交換システムを示す図である。
【図２】本発明の実施形態のファイル管理サーバのブロック図である。
【図３】本発明の実施形態のモバイル機器のブロック図である。
【図４】本発明の実施形態のファイル管理サーバに記憶されているフォルダ情報テーブルを示す図である。
【図５】本発明の実施形態のファイル管理サーバに記憶されているファイル情報テーブルを示す図である。
【図６】本発明の実施形態のモバイル機器に記憶されているファイル管理テーブルを示す図である。
【図７】本発明の実施形態のファイル交換システムの動作を示すフローチャートである。
【図８】本発明の実施形態のモバイル機器におけるファイル情報表示画面を示す図である。
【図９】本発明の実施形態のモバイル機器の外観の一例の正面図である。
【図１０】本発明の実施形態のモバイル機器の外観の一例の正面図における表示パネルの拡大図である。
【図１１】本発明の実施形態のモバイル機器の外観の一例の背面図である。
【図１２】本発明の実施形態のモバイル機器の外観の一例の左側面図である。
【図１３】本発明の実施形態のモバイル機器の外観の一例の右側面図である。
【図１４】本発明の実施形態のモバイル機器の外観の一例の平面図である。
【図１５】本発明の実施形態のモバイル機器の外観の一例の底面図である。
【発明を実施するための形態】
【００１０】
以下、本発明の実施形態について図面を参照して説明する。
〈システム構成及び概略動作〉
図１に示すように、本発明の実施形態のファイル交換システムは、インターネットなどのネットワーク１に接続されるファイル管理サーバ２と、ネットワーク１に接続されるモバイル機器３−１、３−２とからなる。
【００１１】
モバイル機器３−１、３−２は、それぞれ矢印Ａ１、Ａ２に示すように、ネットワーク１に接続可能であり、ネットワーク１を介してファイル管理サーバ２と通信を行うことができる。また、モバイル機器３−１、３−２は、ネットワーク１を介して互いに通信を行うことができるとともに、矢印Ａ３に示すように、Bluetooth（登録商標）やＩｒＤＡ等の近距離無線通信により、直接互いに通信を行うことができる。
【００１２】
ファイル管理サーバ２は、内蔵するハードディスクを用いてオンラインストレージサービスを提供する機能を備えており、モバイル機器３−１、３−２からアップロードされた画像ファイルなどのファイルをユーザ毎に割り当てたストレージエリアに保存して管理する。また、モバイル機器３−１、３−２からのダウンロード要求に応じて、要求されたファイルを要求元のモバイル機器へ送信する。その他の機能については後述する。
【００１３】
モバイル機器３−１、３−２は、撮影機能、ネットワーク通信機能、及び近距離無線通信機能等を備えたカメラ付きの携帯端末装置、例えば携帯電話機、ＰＤＡ、ゲーム機等であり、カメラで撮影した画像等をファイル管理サーバ２にアップロードすることができる。また、モバイル機器３−１、３−２は、ファイル管理サーバ２から所望のファイルをダウンロードすることができる。さらに、モバイル機器３−１、３−２は、内部の記憶部に記憶されているファイルやファイル管理サーバ２からダウンロードしたファイルを相手のモバイル機器へ送信する、即ちファイル交換を行うことができる。
【００１４】
〈ファイル管理サーバの構成〉
図２に示すように、ファイル管理サーバ２は、マウスやキーボード等の入力デバイスから構成される操作部２２と、液晶ディスプレイなどの表示デバイスから構成される表示部２３と、ハードディスクなどの記憶デバイスから構成される記憶部２４と、ネットワーク１を通してモバイル機器３−１、３−２と通信を行うネットワーク通信部２５と、ＣＰＵ（Central Processing Unit）、ＲＯＭ（Read Only Memory）、及びＲＡＭ（Random Access Memory）を有するとともに前記各部を制御する制御部２６と、これらの各部を接続するバス２１を備えている。
【００１５】
制御部２６内のＲＯＭや記憶部２４には、各種プログラムや各種データが記憶される。ＣＰＵは、ＲＯＭや記憶部２４に記憶されたプログラムをＲＡＭにロードし、実行することにより、ファイル管理サーバ２の全体を制御し、後述する図７のフローチャートを実行する手段としての各種機能部を実現する。
【００１６】
また、記憶部２４は、ユーザ（モバイル機器３−１、３−２）から送信されたファイルをユーザ毎に割り当てたオンラインストレージエリアに記憶するとともに、その管理情報も記憶する。ファイルを管理するファイル管理情報には、管理しているファイルを示すファイル情報と、ファイル情報を格納しているフォルダを示すフォルダ情報がある。図４はフォルダ情報を格納したフォルダ情報テーブルであり、図５はファイル情報のうち、ファイルのサムネイル以外を格納したファイル情報テーブルである。
【００１７】
図４に示すように、フォルダ情報は各フォルダのフォルダＩＤと、フォルダＩＤにより特定されるフォルダのフォルダ名、フォルダＵＲＬ（Uniform Resource Locator）、フォルダ内ファイル数からなる。フォルダＵＲＬは、フォルダＩＤにより特定されるフォルダのオンラインストレージエリア上の位置を示す。つまり、フォルダには図５に示すファイル情報が格納されており、フォルダ毎に図５のファイル情報が存在する。また、フォルダＵＲＬはフォルダに格納されているファイルの情報であるファイル情報へのリンクである。
【００１８】
また、図５に示すように、ファイル情報は各ファイルのファイルＩＤと、ファイルＩＤにより特定されるファイルのファイル名、サムネイルＵＲＬ、ファイルＵＲＬ、ファイル更新日時を有する。ファイルＵＲＬ、サムネイルＵＲＬは、ファイルＩＤにより特定されるファイル、サムネイルのオンラインストレージエリア上の位置を示す。
【００１９】
〈モバイル機器の構成〉
モバイル機器３−１、３−２は同じ構成を持っており、そのブロック図を図３に示す。図示のように、モバイル機器３−１、３−２は、各種ボタンから構成される操作部３２と、液晶ディスプレイなどの表示デバイスから構成される表示部３３と、フラッシュメモリなどの記憶デバイスから構成される記憶部３４と、ＣＣＤ（Charge Coupled Device）やＭＯＳ（Metal Oxide Semiconductor）等の撮像デバイスから構成される撮影部３５と、ネットワーク１を通してファイル管理サーバ２或いは他のモバイル機器と通信を行うネットワーク通信部３６と、Bluetooth（登録商標）やＩｒＤＡ等の近距離無線通信により、他のモバイル機器と直接通信を行う機器間通信部３７と、ＣＰＵ、ＲＯＭ、及びＲＡＭを有するとともに前記各部を制御する制御部３８と、これらの各部を接続するバス３１を備えている。
【００２０】
制御部３８内のＲＯＭ、記憶部３４には、各種プログラムや各種データが記憶される。ＣＰＵは、ＲＯＭや記憶部３４に記憶された各種プログラムをＲＡＭにロードし、実行することにより、モバイル機器３−１、３−２全体を制御し、後述する図７のフローを実行する手段としての各種機能部を実現させる。
【００２１】
また、記憶部３４には、オンラインストレージサービスを利用するためのアプリケーション専用の記憶エリア（以下、専用記憶エリア）と、各種アプリケーションに共用の記憶エリア（以下、共用記憶エリア）とがある。ファイル管理サーバ２にアップロードしたファイル及びファイル管理サーバ２からダウンロードしたファイルは専用記憶エリアに記憶されるが、操作部３２からのユーザの指示に応じて、共用記憶エリアに移動又は複製することができる。共用記憶エリアに記憶されると、オンラインストレージサービス以外のアプリケーション、例えば画像編集アプリケーションにより処理することができる。
【００２２】
図６は、専用記憶エリアに記憶されるファイル管理テーブルである。このテーブルは、各ファイルのファイルＩＤ、ファイルＩＤにより特定されるファイルのファイル名、サムネイルアドレス、ファイルアドレス、ダウンロード日時からなる。ここで、サムネイルアドレス、ファイルアドレスは、それぞれサムネイル、ファイルの専用記憶エリアにおける記憶アドレスである。また、空欄（３行目以下）は情報が書き込まれていないことを示している。つまり、この図の場合、現在迄にダウンロードしたファイルはファイル1_1、ファイル1_2のみである。
【００２３】
〈ファイル交換システムの動作〉
図７を参照して、図１におけるモバイル機器３−１、３−２の一方から他方へファイルを送信する際の動作を説明する。図７において、ファイルを送信する側を送信側モバイル機器、受信する側を受信側モバイル機器とした。なお、モバイル機器３−１、３−２は同じ構成を持っており、どちらも送信側モバイル機器、受信側モバイル機器になれることは言うまでない。また、この動作の前提として、少なくとも送信側のモバイル機器にはオンラインストレージサービスを受けるためのアプリケーションがインストールされており、かつファイル管理サーバ２のオンラインストレージエリアに記憶領域が割り当てられているものとする。
【００２４】
まずユーザが送信側モバイル機器の操作部３２からオンラインストレージサービスを受けるためのアプリケーションを起動すると、送信側モバイル機器は、ファイル管理サーバ２に対して接続要求信号を送信する（ステップＳ１）。ここで、アプリケーションが起動されると、表示部３３にログイン画面が表示され、ユーザがＩＤ及びパスワードを入力することに応じて、接続要求信号が送信される。
【００２５】
ファイル管理サーバ２は、接続要求信号の受信に応じてフローをスタートし、送信側モバイル機器のユーザのオンラインストレージエリアに保存されているフォルダ情報テーブル（図４）からフォルダ情報のうち、フォルダＩＤ、フォルダ名、フォルダＵＲＬを読み出し、送信側モバイル機器へ送信する（ステップＳ２１）。フォルダ数が多い場合には、フォルダＵＲＬを基にファイル情報テーブル（図５）を参照し、例えばファイル更新日時の新しいファイルが格納されているフォルダから順に送信する。
【００２６】
送信側モバイル機器はフォルダ情報を受信し、制御部３８内のＲＡＭで保持するとともにフォルダ名を表示部３３に表示する（ステップＳ２）。フォルダ数が複数の場合はフォルダ名のリストとして表示する。ユーザが、操作部３２を用いて、表示部３３に表示されている１つ以上のフォルダ名の中から、所望のフォルダ名を指定（選択）すると（ステップＳ３）、送信側モバイル機器は、ファイル管理サーバ２に対して、指定されたフォルダ名により特定されるフォルダ内のファイルのファイル情報を要求するファイル情報要求信号を送信する（ステップＳ４）。このファイル情報要求信号には指定されたフォルダ名により特定されるフォルダのフォルダＵＲＬが含まれている。
【００２７】
ファイル管理サーバ２は、ファイル情報要求信号を受信し（ステップＳ２２）、その信号に含まれているフォルダＵＲＬを基に、オンラインストレージ上のファイル情報管理テーブル（図５）に記憶されているファイル情報を読み出し、送信側モバイル機器へ送信する（ステップＳ２３）。
【００２８】
送信側モバイル機器はファイル情報を受信し、記憶部３４の専用記憶エリアに保存するとともに、そのうち、書誌的事項であるファイル名及び更新日時を表示部３３に表示する（ステップＳ５）。次いで各ファイルのサムネイルが記憶部３４の専用記憶エリアに記憶されているか否かを判定し（ステップＳ６）、記憶されているときは（Ｓ６：YES）、そのサムネイルを表示部３３に表示する（ステップＳ９）。このとき、表示部３３には、各ファイルの書誌的事項を示すテキストと各ファイルのサムネイルとを並べて表示する。
【００２９】
一方、記憶されていないときは（Ｓ６：NO）、ファイル管理サーバ２に対し、サムネイル要求信号を送信する（ステップＳ７）。このサムネイル要求信号にはサムネイルＵＲＬが含まれている。ファイル管理サーバ２は、サムネイル要求信号を受信し（ステップＳ２４）、その信号に含まれているサムネイルＵＲＬを基に、オンラインストレージ上のサムネイルを読み出し、送信側モバイル機器へ送信する（ステップＳ２５）。送信側モバイル機器は、ファイル管理サーバ２から送信されたサムネイルを受信し、記憶部３４の専用記憶エリアに保存してから（ステップＳ８）、表示部３３に表示する（ステップＳ９）。
【００３０】
ここで、Ｓ６の判定、即ちファイルのサムネイルが記憶部３４に記憶されているか否かの判定は以下のように行う。そのサムネイル及びファイルが過去にオンラインストレージからダウンロードされたとき、制御部３８は、図６に示すファイル管理テーブルに必要な情報を格納しているので、その管理テーブルを参照することにより判定する。
【００３１】
ステップＳ９で表示部３３に表示される画面の一例を図８に示す。図示のように、画面１０１内の画像表示領域１０２には、３つのファイルのサムネイルと、それぞれのファイルの書誌的事項のテキスト１０４が横に並んで表示されている。つまりサムネイルのリストとファイルの書誌的事項のリストが表示されている。画像表示領域１０２の下方には「見る」ボタン１０５と、「交換」ボタン１０６が表示されている。また、図示を省略したが、サムネイル１０３及び書誌的事項のテキスト１０４にカーソルを合わせることで、ファイルを指定（選択）するためのカーソル移動ボタンも表示される。
【００３２】
次にユーザが、操作部３２を用いて、所望のサムネイルにカーソルを合わせることでファイルを指定（選択）し、「見る」ボタン１０５又は「交換」ボタン１０６を押下すると（ステップＳ１０）、制御部３８は、ファイル管理テーブル（図６）を参照し、指定されたファイルが記憶部３４の専用記憶エリアに記憶されているか否か判定する（ステップＳ１１）。判定の結果、記憶されているときは（Ｓ１１：YES）、そのファイルを表示部３３に表示する（ステップＳ１４）。
【００３３】
一方、判定の結果、記憶されていないときは（Ｓ１１：NO）、ファイル管理サーバ２に対し、ファイル要求信号を送信する（ステップＳ１２）。このファイル要求信号にはファイルＵＲＬが含まれている。ファイル管理サーバ２は、ファイル要求信号を受信し（ステップＳ２６）、その信号に含まれているファイルＵＲＬを基に、オンラインストレージ上のファイルを読み出し、送信側モバイル機器へ送信する（ステップＳ２７）。送信側モバイル機器は、ファイル管理サーバ２から送信されたファイルを受信し、記憶部３４の専用記憶エリアに保存してから（ステップＳ１３）、表示部３３に表示する（ステップＳ１４）。
【００３４】
ステップＳ１０の指示が「見る」であったときは、ここで処理を終える。一方、「交換」であったときは、受信側モバイル機器との間で通信を確立した後に（ステップＳ１５）、受信側モバイル機器へファイルを送信する（ステップＳ１６）。
【００３５】
受信側モバイル機器は、送信側モバイル機器との間で通信を確立した後に（ステップＳ３１）、送信側モバイル機器から送信されたファイルを受信し、記憶部３４の専用記憶エリアに保存し、表示部３３に表示する（ステップＳ３２）。
【００３６】
このように、本実施形態のファイル交換システムによれば、送信側モバイル機器の表示部３３に表示されているファイルのサムネイル及び書誌的事項のリストの中からユーザが指定したサムネイル及び書誌的事項のファイルが機器内の記憶部３４の専用記憶エリアに記憶されているか否かを判定し、記憶されているときは、記憶部３４から読み出して、受信側モバイル機器へ送信し、記憶されていないときは、ファイル管理サーバ２からダウンロードして、受信側モバイル機器へ送信するので、送信側モバイル機器ユーザは、送信するファイルが送信側モバイル機器内にあるかファイル管理サーバ２上にあるかを知る必要がなく、かつそのファイルの存在場所に関わらず、共通の操作でファイル送信を行うことができる。
【００３７】
なお、本発明の実施形態に関して下記（１）〜（８）のような変形が可能である。
（１）Ｓ１０において、ファイル指定と、「見る」又は「交換」の指示の順序を反対にする。
（２）Ｓ１０において、「見る」を指示した場合に、Ｓ１４で表示部３３に表示されているファイルを交換するときは、「交換」を指示する。
（３）Ｓ１５の通信確立を行う際、通信可能な範囲に存在するモバイル機器を探索し、発見したモバイル機器との間で通信確立を行う。
（４）Ｓ１５の通信確立を行う際、予め記憶部３４に記憶しておいたアドレス帳を表示部３３に表示し、アドレス帳からユーザが選択したアドレスを有するモバイル機器に対して通信確立を行う。
（５）送信側モバイル機器は、受信側モバイル機器との間の通信確立をＳ１の後からＳ１４の前までの任意のタイミングで実行する。
（６）受信側モバイル機器は、Ｓ３２の次に、受信したファイルをファイル管理サーバ２にアップロードする。受信したファイルのサムネイルを作成して、記憶部３４に記憶してもよい。ファイル管理サーバ２は、受信側モバイル機器によりアップロードされたファイルのサムネイルを作成して記憶部２４に記憶するとともに、受信側モバイル機器へ送信する。受信側モバイル機器は、送信側モバイル機器から受信したファイルのサムネイルを作成して、記憶部３４に記憶しておいた場合は、ファイル管理サーバ２から受信したより精緻なサムネイルに書き換える。
（７）Ｓ６やＳ１１の判定結果を表示部３３に表示する。
（８）オンラインストレージをファイル管理サーバ２の外部、例えばネットワーク１上に設ける。
【００３８】
〈モバイル機器の外観〉
次に図９〜図１５を参照して、モバイル機器３−１、３−２の外観の一例について説明する。ここで、図９は正面図、図１０は正面図における表示パネルの拡大図、図１１は背面図、図１２は左側面図、図１３は右側面図、図１４は平面図、図１５は底面図である。なお、これらの図において、表示パネルと、表示パネルに表示されるアイコン及び文字を実線で示し、表示パネル内の画像表示領域を一点鎖線で示し、それ以外（筐体の外形線など）を破線で示している。
【００３９】
図９に示すように、モバイル機器の筐体の正面側には、表示パネル３０１が配置され、その内側中央部には、画像表示領域３０２が配置されている。ここでは、便宜上、画像表示領域３０２内を空白とした。
【００４０】
図１０に示すように、表示パネル３０１の左端の領域３０３には、上から順に「プレイス」アイコン、「交換」アイコン、「カメラ」アイコン、「ボイスメモ」アイコン、「設定」アイコンが表示されている。また、表示パネル３０１の右部の領域３０４には、上から順に「見る」アイコン、「交換」アイコン、「コメント」アイコン、「ファイル送信」アイコンが表示されている。これらのアイコンはタッチパネル上のボタンとして構成されており、アイコン又はその左側の文字を押下することで、モバイル機器に所定の動作を行わせることができる。なお、画像表示領域３０２の右端は、領域３０４に配置されているアイコンの文字と重なっているが、画像表示領域３０２に画像が表示されている状態でもアイコンの文字を視認できる。
【００４１】
領域３０４の右側に配置されている領域３０５の上部には「戻る」アイコンが表示され、下部には画像表示領域３０２に表示されている画像ファイルを写真アルバムとして記憶部３４に保存するためのアイコンが表示されている。また、これらのアイコンの間には、画像表示領域３０２に表示されている画像の属性情報を示す文字列が表示されている。
【符号の説明】
【００４２】
１…ネットワーク、２…ファイル管理サーバ、３−１，３−２…モバイル機器、２２，３２…操作部、２３，３３…表示部、２４，３４…記憶部、２５，３６…ネットワーク通信部、２６，３８…制御部、３７…機器間通信部。
【先行技術文献】
【特許文献】
【００４３】
【特許文献１】特開２０１０−８６１７４号公報
【図１】
0006011692.tif 000002
【図２】
0006011692.tif 000003
【図３】
0006011692.tif 000004
【図４】
0006011692.tif 000005
【図５】
0006011692.tif 000006
【図６】
0006011692.tif 000007
【図７】
0006011692.tif 000008
【図８】
0006011692.tif 000009
【図９】
0006011692.tif 000010
【図１０】
0006011692.tif 000011
【図１１】
0006011692.tif 000012
【図１２】
0006011692.tif 000013
【図１３】
0006011692.tif 000014
【図１４】
0006011692.tif 000015
【図１５】
0006011692.tif 000016